【手続補正書】
【提出日】平成27年7月15日(2015.7.15)
【手続補正１】
【補正対象書類名】特許請求の範囲
【補正対象項目名】全文
【補正方法】変更
【補正の内容】
【特許請求の範囲】
【請求項１】
プロセッサ、
関連グループに収集される複数のデータと、前記複数のデータ間の複数の関連付けとを含む連想メモリであって、複数のデータ間の直接相関に加えて、複数のデータ間の直接的及び間接的関係性を含むグループから選択された少なくとも一つの関係性に基づいて照会されるように構成された連想メモリ、
連想メモリ内の第１のパースペクティブ内で一の値を受け取るように構成された入力モジュールであって、第１のパースペクティブが、複数のデータのうちの一組のデータに関するコンテクストの第１の選択を含んでいる、入力モジュール、
前記値を使用して連想メモリのオープンクエリを実行するように構成され、さらには、連想メモリの挿入パースペクティブ及び第２のパースペクティブのうちの少なくとも一方内でオープンクエリを実行するように構成されたクエリモジュールであって、挿入パースペクティブは、連想メモリにフィードバックされるように構成された種類のパースペクティブを含み、第２のパースペクティブは、一組のデータに関するコンテクストの第２の選択を含み、且つ挿入パースペクティブ及び第２のパースペクティブのうちの少なくとも一方は、前記値に関して第１のパースペクティブと同数以上のカテゴリの関連付けを有する、クエリモジュール、並びに
オープンクエリの結果を表示するように構成され、さらには、オープンクエリにより得られた一又は複数のあいまいかもしれない箇所のリストを表示するように構成された表示モジュール
を備えたシステムであって、
前記第２のパースペクティブの表示は、
カテゴリと前記値とを含む、第1のセクション
前記値と関連した属性クラウド値を含む、第２のセクション
前記値のエンティティ値を含む第３のセクション、
前記値と関連したキーワード値を含む第４のセクション
前記値と関連した１又は複数のカテゴリの１又は複数のカテゴリ値を含む第５のセクション、
前記値と関連したコンテンツのテクストまたはグラフィックの１又は複数の部分を含む第６のセクション、及び
前記値と類似したエンティティ値を含む第７のセクションを含む、
システム。
【請求項２】
一又は複数のあいまいかもしれない箇所が、前記値について複数の一致する属性を含む、請求項１に記載のシステム。
【請求項３】
前記値が第１の番号を含み、複数の一致する属性が、前記値と一致する第１の属性と、前記値と一致する第２の属性とを含み、第１の属性が、第１の番号と関連付けられた第１のカテゴリを含み、第２の属性が、第１の番号と関連付けられた第２のカテゴリを含み、第１の番号を調べるだけでは、ユーザ又はコンピュータプログラムの理解により、第１の番号が第１のカテゴリに属するか又は第２のカテゴリに属するかの決定を行うことができない、請求項２に記載のシステム。
【請求項４】
前記値が英数字の組及び特殊文字の組のうちの少なくとも一方を含み、特殊文字は句読点、記号、絵、及びアルファベット以外の文字を使用する言語から選択された文字のうち少なくとも一つを含む、請求項２に記載のシステム。
【請求項５】
表示モジュールが、さらに、第１のカテゴリの第１のカテゴリ名と、第２のカテゴリの第２のカテゴリ名とを表示する、請求項３に記載のシステム。
【請求項６】
表示モジュールが、さらに、第１のカテゴリに関連付けられた第１のリンクと、第２のカテゴリに関連付けられた第２のリンクとを提供し、第１のリンクが、第１のカテゴリに関連付けられた第１の情報を示し、第２のリンクが、第２のカテゴリに関連付けられた第２の情報を示す、請求項３に記載のシステム。
【請求項７】
オープン属性クエリ言語サーチを使用してオープンクエリが実行される、請求項１に記載のシステム。
【請求項８】
決定を行うときに第１のカテゴリと最初のカテゴリ名との間に相違があることにより、一又は複数のあいまいかもしれない箇所が生じる、請求項３に記載のシステム。
【請求項９】
コンピュータで実施される方法であって、
入力モジュールによって、連想メモリの第１のパースペクティブ内で値を受け取るステップであって、第１のパースペクティブが、複数のデータのうちの一組のデータに関するコンテクストの第１の選択を含み、連想メモリが、関連グループに収集される複数のデータと、前記複数のデータ間の複数の関連付けとを含み、且つ連想メモリが、複数のデータ間の直接相関に加えて、複数のデータ間の直接的及び間接的関係性を含むグループから選択された少なくとも一つの関係性に基づいて照会されるように構成されているステップ、
クエリモジュールによって、前記値を使用して連想メモリのオープンクエリを実行するステップであって、連想メモリの挿入パースペクティブ及び第２のパースペクティブのうちの少なくとも一方の内部でオープンクエリを実行し、挿入パースペクティブは、連想メモリにフィードバックされるように構成された種類のパースペクティブを含み、第２のパースペクティブは、一組のデータに関するコンテクストの第２の選択を含み、且つ挿入パースペクティブ及び第２のパースペクティブのうちの少なくとも一方は、前記値に関して第１のパースペクティブと同数以上のカテゴリの関連付けを有するステップ、並びに
表示モジュールによって、オープンクエリの結果を表示するステップであって、オープンクエリの結果得られた、一又は複数のあいまいかもしれない箇所のリストを表示することを含むステップ
を含む方法であって、
前記第２のパースペクティブの表示は、
カテゴリと前記値とを含む、第1のセクション
前記値と関連した属性クラウド値を含む、第２のセクション
前記値のエンティティ値を含む第３のセクション、
前記値と関連したキーワード値を含む第４のセクション
前記値と関連した１又は複数のカテゴリの１又は複数のカテゴリ値を含む第５のセクション、
前記値と関連したコンテンツのテクストまたはグラフィックの１又は複数の部分を含む第６のセクション、及び
前記値と類似したエンティティ値を含む第７のセクションを含む、
方法。
【請求項１０】
一又は複数のあいまいかもしれない箇所が、前記値について複数の一致する属性を含む、請求項９に記載のコンピュータで実施される方法。
【請求項１１】
前記値が第１の番号を含み、複数の一致する属性が、前記値と一致する第１の属性と、前記値と一致する第２の属性とを含み、第１の属性が、第１の番号と関連付けられた第１のカテゴリを含み、第２の属性が、第１の番号と関連付けられた第２のカテゴリを含み、第１の番号を調べるだけでは、ユーザ又はコンピュータプログラムの理解により、第１の番号が第１のカテゴリに属するか又は第２のカテゴリに属するかの決定を行うことができない、請求項１０に記載のコンピュータで実施される方法。
【請求項１２】
前記値が英数字の組及び特殊文字の組のうちの少なくとも一方を含み、特殊文字は句読点、記号、絵、及びアルファベット以外の文字を使用する言語から選択された文字のうち少なくとも一つを含む、請求項１０に記載のコンピュータで実施される方法。
【請求項１３】
前記表示するステップが、さらに、第１のカテゴリに関連付けられた第１のリンクと、第２のカテゴリに関連付けられた第２のリンクとを提供することを含み、第１のリンクは第１のカテゴリに関連付けられた第１の情報を示し、第２のリンクは第２のカテゴリに関連付けられた第２の情報を示す、請求項１１に記載のコンピュータで実施される方法。
【手続補正２】
【補正対象書類名】明細書
【補正対象項目名】０２５１
【補正方法】変更
【補正の内容】
【０２５１】
上述した種々の有利な実施形態の説明は、例示及び説明を目的とするものであり、完全な説明であること、又はこれらの実施形態を開示された形態に限定することを意図していない。当業者には、多数の修正例及び変形例が明らかであろう。さらに、種々の有利な実施形態は、他の有利な実施形態とは異なる利点を提供する。選択された一又は複数の実施形態は、実施形態の原理と、実用的な用途とを最もよく説明するために、並びに、考慮される特定の用途に適した様々な修正点と共に種々の実施形態の開示内容を当業者が理解できるように、選ばれて説明されている。
また、本願は以下に記載する態様を含む。
（態様１）
関連グループに収集される複数のデータと、前記複数のデータ間の複数の関連付けとを含む連想メモリであって、複数のデータ間の直接相関に加えて、複数のデータ間の直接的及び間接的関係性を含むグループから選択された少なくとも一つの関係性に基づいて照会される連想メモリ、
連想メモリ内の第１のパースペクティブ内で一の値を受け取る入力モジュールであって、第１のパースペクティブが、複数のデータのうちの一組のデータに関するコンテクストの第１の選択を含んでいる、入力モジュール、
前記値を使用して連想メモリのオープンクエリを実行し、さらには、連想メモリの挿入パースペクティブ及び第２のパースペクティブのうちの少なくとも一方内でオープンクエリを実行するクエリモジュールであって、挿入パースペクティブは、連想メモリにフィードバックされる種類のパースペクティブを含み、第２のパースペクティブは、一組のデータに関するテクストの第２の選択を含み、且つ挿入パースペクティブ及び第２のパースペクティブのうちの少なくとも一方は、前記値に関して第１のパースペクティブと同数以上のカテゴリの関連付けを有する、クエリモジュール、並びに
クエリの結果を表示し、さらには、オープンクエリにより得られた一又は複数のあいまいかもしれない箇所のリストを表示する表示モジュール
を備えたシステム。
（態様２）
一又は複数のあいまいかもしれない箇所が、前記値について複数の一致する属性を含む、態様１に記載のシステム。
（態様３）
前記値が第１の番号を含み、複数の一致する属性が、前記値と一致する第１の属性と、前記値と一致する第２の属性とを含み、第１の属性が、第１の番号と関連付けられた第１のカテゴリを含み、第２の属性が、第１の番号と関連付けられた第２のカテゴリを含み、第１の番号を調べるだけでは、ユーザ又はコンピュータプログラムの理解により、第１の番号が第１のカテゴリに属するか又は第２のカテゴリに属するかの決定を行うことができない、態様２に記載のシステム。
（態様４）
前記値が英数字の組及び特殊文字の組のうちの少なくとも一方を含み、特殊文字は句読点、記号、絵、及びアルファベット以外の文字を使用する言語から選択された文字を含む、態様２に記載のシステム。
（態様５）
表示モジュールが、さらに、第１のカテゴリの第１のカテゴリ名と、第２のカテゴリの第２のカテゴリ名とを表示する、態様３に記載のシステム。
（態様６）
表示モジュールが、さらに、第１のカテゴリに関連付けられた第１のリンクと、第２のカテゴリに関連付けられた第２のリンクとを提供し、第１のリンクが、第１のカテゴリに関連付けられた第１の情報を示し、第２のリンクが、第２のカテゴリに関連付けられた第２の情報を示す、態様３に記載のシステム。
（態様７）
オープン属性クエリ言語サーチを使用してクエリが実行される、態様１に記載のシステム。
（態様８）
決定を行うときに第１のカテゴリと最初のカテゴリ名との間に相違があることにより、一又は複数のあいまいかもしれない箇所が生じる、態様３に記載のシステム。
（態様９）
コンピュータで実施される方法であって、
連想メモリの第１のパースペクティブ内で値を受け取るステップであって、第１のパースペクティブが、複数のデータのうちの一組のデータに関するテクストの第１の選択を含み、連想メモリが、関連グループに収集される複数のデータと、前記複数のデータ間の複数の関連付けとを含み、且つ連想メモリが、複数のデータ間の直接相関に加えて、複数のデータ間の直接的及び間接的関係性を含むグループから選択された少なくとも一つの関係性に基づいて照会されるように構成されているステップ、
前記値を使用して連想メモリのオープンクエリを実行するステップであって、連想メモリの挿入パースペクティブ及び第２のパースペクティブのうちの少なくとも一方の内部でオープンクエリを実行し、挿入パースペクティブは、連想メモリにフィードバックされる種類のパースペクティブを含み、第２のパースペクティブは、一組のデータに関するテクストの第２の選択を含み、且つ挿入パースペクティブ及び第２のパースペクティブのうちの少なくとも一方は、前記値に関して第１のパースペクティブと同数以上のカテゴリの関連付けを有するステップ、並びに
クエリの結果を表示するステップであって、オープンクエリの結果得られた、一又は複数のあいまいかもしれない箇所のリストを表示することを含むステップ
を含む方法。
（態様１０）
一又は複数のあいまいかもしれない箇所が、前記値について複数の一致する属性を含む、態様９に記載のコンピュータで実施される方法。
（態様１１）
前記値が第１の番号を含み、複数の一致する属性が、前記値と一致する第１の属性と、前記値と一致する第２の属性とを含み、第１の属性が、第１の番号と関連付けられた第１のカテゴリを含み、第２の属性が、第１の番号と関連付けられた第２のカテゴリを含み、第１の番号を調べるだけでは、ユーザ又はコンピュータプログラムの理解により、第１の番号が第１のカテゴリに属するか又は第２のカテゴリに属するかの決定を行うことができない、態様１０に記載のコンピュータで実施される方法。
（態様１２）
前記値が英数字の組及び特殊文字の組のうちの少なくとも一方を含み、特殊文字は句読点、記号、絵、及びアルファベット以外の文字を使用する言語から選択された文字を含む、態様１０に記載のコンピュータで実施される方法。
（態様１３）
表示するステップが、さらに、第１のカテゴリに関連付けられた第１のリンクと、第２のカテゴリに関連付けられた第２のリンクとを提供することを含み、第１のリンクは第１のカテゴリに関連付けられた第１の情報を示し、第２のリンクは第２のカテゴリに関連付けられた第２の情報を示す、態様１１に記載のコンピュータで実施される方法。